(57)【要約】【課題】遠隔制御装置の操作ボタンに、複数個の制御機能を切り替え設定可能にする場合に、当該複数個の制御機能の全てを利用可能にする。【解決手段】第１の機能装置部と、第２の機能装置部とを備えると共に、前記第１の機能装置部と、前記第２の機能装置部とを遠隔制御する遠隔制御装置部とを備える複合装置である。遠隔制御装置の第１の機能装置部の遠隔制御用の操作ボタン群のうちの、特定の第２の機能装置部の遠隔制御機能が他の操作ボタンとダブって割り付けられている操作ボタンは、割り付けられている遠隔制御機能が、さらに別の遠隔制御機能に割付変更可能とされる。【選択図】図１
2005223566.tif 000002
【特許請求の範囲】
【請求項１】
第１の機能装置部と、第２の機能装置部とを備えると共に、前記第１の機能装置部と、前記第２の機能装置部とを遠隔制御する遠隔制御装置部とを備える複合装置であって、
前記遠隔制御装置部は、前記第１の機能装置部の遠隔制御用の操作ボタン群と、前記第２の機能装置部の遠隔制御用の操作ボタン群とを備え、
前記第１の機能装置部の遠隔制御用の操作ボタン群の少なくとも一部は、前記第２の機能装置部の遠隔制御用の操作ボタンとしても割り当てられており、かつ、特定の前記第２の機能装置部の遠隔制御機能は、前記第２の機能装置部の遠隔制御用の操作ボタンとしても割り当てられている前記第１の機能装置部の遠隔制御用の操作ボタンにダブって割り当てられていると共に、
前記遠隔制御装置の前記第１の機能装置部の遠隔制御用の操作ボタン群のうちの、前記特定の前記第２の機能装置部の遠隔制御機能が他の操作ボタンとダブって割り付けられている操作ボタンは、割り付けられている前記遠隔制御機能が、さらに別の遠隔制御機能に割付変更可能とされている
ことを特徴とする複合装置。
【請求項２】
請求項１に記載の複合装置において、
第１の機能装置部はゲーム機部であり、前記第２の機能装置部は記憶媒体に記憶されているデータを読み出して再生する再生装置部である
ことを特徴とする複合装置。
【請求項３】
請求項２に記載の複合装置において、
前記ダブって割り付けられている再生についての遠隔制御機能は、サーチ再生機能であり、割付変更される前記別の再生についての遠隔制御機能は、再生位置を所定の時間後、または、所定時間前の再生位置にジャンプさせる機能である
ことを特徴とする複合装置。
【請求項４】
請求項１に記載の複合装置において、
前記遠隔制御装置部の操作ボタンを通じたユーザの操作に応じて、前記遠隔制御装置部の前記操作ボタンの割り付け機能の割付変更用画面を表示し、前記割付変更用画面において、前記遠隔制御装置部の操作ボタンを通じたユーザの設定変更入力を受け付けて、前記操作ボタンに対して割り付ける遠隔制御機能の変更設定を行なう操作ボタン割付変更受付手段を備える
ことを特徴とする複合装置。
【請求項５】
請求項４に記載の複合装置において、
前記操作ボタン割付変更受付手段は、
前記遠隔制御装置部により選択可能な、少なくとも、前記第１の機能装置部を示す絵記号、前記第２の機能装置部を示す絵記号および設定機能を示す絵記号を、表示画面の第１の方向に順に並べると共に、選択中の絵記号部分から、前記第１の方向に交差する第２の方向に、当該絵記号で示される装置や機能が提供する項目を並べるメニュー表示画面の表示手段と、
前記メニュー表示画面において、前記設定機能の絵記号が選択されている状態で、前記第２の方向に並べられた設定の前記項目のうちの、特定の設定項目の選択入力を、前記遠隔制御装置部を通じて受け付ける選択入力受付手段と、
前記選択入力受付手段で、前記第２の機能装置部の設定項目が選択されたときに、前記操作ボタンの割付変更項目を含む、前記第２の機能装置部の設定項目の一覧を表示する設定項目一覧表示手段と、
前記設定項目一覧表示手段により表示されている前記第２の機能装置部の設定項目のうちの、前記操作ボタンの割付変更項目が選択されたときに、当該操作ボタンについての複数個の割付機能を選択可能に表示する割付変更用画面を表示する手段と、
前記割付変更用画面において、割り付けられる割付機能の選択入力を受け付け、前記操作ボタンに対する設定された機能として記憶する記憶手段と、
を備え、前記記憶手段に記憶された前記操作ボタンに対する設定された機能を参照して、前記遠隔制御装置部からその後入力される遠隔制御信号を判断するようにする
ことを特徴とする複合装置。
【請求項６】
第１の機能装置部と、第２の機能装置部とを備えると共に、前記第１の機能装置部と、前記第２の機能装置部とを遠隔制御する遠隔制御装置部とを備える複合装置であって、
前記遠隔制御装置部の操作ボタンには、前記遠隔制御装置部が、前記複合装置が前記第１の機能装置部として動作するモードにおいては、前記第１の機能装置部の遠隔制御装置として動作し、前記複合装置が前記第２の機能装置部として動作するモードにおいては、前記第２の機能装置部の遠隔制御装置として動作するように、遠隔制御機能がモードに応じて切り替えられるように割り付けられ、
前記遠隔制御装置部の操作ボタン群に割り付けられる前記第２の機能装置部の遠隔制御機能のうちの特定の遠隔制御機能は、前記操作ボタン群中の操作ボタンにダブって割り当てられると共に、
前記遠隔制御装置部の操作ボタン群のうちの、前記特定の前記遠隔制御機能が他の操作ボタンとダブって割り付けられている操作ボタンは、割り付けられている前記遠隔制御機能が、さらに別の遠隔制御機能に割付変更可能とされている
ことを特徴とする複合装置。
【請求項７】
請求項６に記載の複合装置において、
第１の機能装置部はゲーム機部であり、前記第２の機能装置部は記憶媒体に記憶されているデータを読み出して再生する再生装置部であると共に、前記遠隔制御装置部は、前記ゲーム機部用の操作コントローラである
ことを特徴とする複合装置。
【請求項８】
請求項７に記載の複合装置において、
前記ダブって割り付けられている再生についての遠隔制御機能は、サーチ再生機能であり、割付変更される前記別の再生についての遠隔制御機能は、再生位置を所定の時間後、または、所定時間前の再生位置にジャンプさせる機能である
ことを特徴とする複合装置。
【請求項９】
請求項６に記載の複合装置において、
前記遠隔制御装置部の操作ボタンを通じたユーザの操作に応じて、前記遠隔制御装置部の前記操作ボタンの割り付け機能の割付変更用画面を表示し、前記割付変更用画面において、前記遠隔制御装置部の操作ボタンを通じたユーザの設定変更入力を受け付けて、前記操作ボタンに対して割り付ける遠隔制御機能の変更設定を行なう操作ボタン割付変更受付手段を備える
ことを特徴とする複合装置。
【請求項１０】
請求項９に記載の複合装置において、
前記操作ボタン割付変更受付手段は、
前記遠隔制御装置部により選択可能な、少なくとも、前記第１の装置部を示す絵記号、前記第２の機能装置部を示す絵記号および設定機能を示す絵記号を、表示画面の第１の方向に順に並べると共に、選択中の絵記号部分から、前記第１の方向に交差する第２の方向に、当該絵記号で示される装置や機能が提供する項目を並べるメニュー表示画面の表示手段と、
前記メニュー表示画面において、前記設定機能の絵記号が選択されている状態で、前記第２の方向に並べられた設定項目のうちの、特定の設定項目の選択入力を、前記リモートコマンダあるいは前記操作コントローラを通じて受け付ける選択入力受付手段と、
前記選択入力受付手段で、前記第２の機能装置部の設定項目が選択されたときに、前記操作ボタンの割付変更項目を含む、前記第２の機能装置部の設定項目の一覧を表示する設定項目一覧表示手段と、
前記設定項目一覧表示手段により表示されている前記第２の機能装置部の設定項目のうちの、前記操作ボタンの割付変更項目が選択されたときに、当該操作ボタンについての複数個の割付機能を選択可能に表示する割付変更用画面を表示する手段と、
前記割付変更用画面において、割り付けられる割付機能の選択入力を受け付け、前記操作ボタンに対する設定された機能として記憶する記憶手段と、
を備え、前記記憶手段に記憶された前記操作ボタンに対する設定された機能を参照して、前記遠隔制御装置部からその後入力される遠隔制御信号を判断するようにする
ことを特徴とする複合装置。
【請求項１１】
第１の機能装置部と、記憶媒体に記憶されているデータを読み出して再生する第２の機能装置部とを備えると共に、前記第１の機能装置部および前記第２の機能装置部を遠隔制御する遠隔制御装置部とを備える複合装置の、前記遠隔制御装置部の操作ボタン機能割付変更方法であって、
前記遠隔制御装置部により選択可能な、少なくとも、前記ゲーム機部を示す絵記号、前記第２の機能装置部を示す絵記号および設定機能を示す絵記号を、表示画面の第１の方向に順に並べると共に、選択中の絵記号部分から、前記第１の方向に交差する第２の方向に、当該絵記号で示される装置や機能が提供する項目を並べるメニュー表示画面を表示画面に表示するメニュー表示工程と、
前記メニュー表示画面において、前記設定機能の絵記号が選択されている状態で、前記第２の方向に並べられた設定項目のうちの、特定の設定項目の選択入力を、前記リモートコマンダあるいは前記操作コントローラを通じて受け付ける選択入力受付工程と、
前記選択入力受付工程で、前記第２の機能装置部の設定項目が選択されたときに、前記操作ボタンの割付変更項目を含む、前記第２の機能装置部の設定項目の一覧を表示する設定項目一覧表示工程と、
前記設定項目一覧表示工程において表示されている前記第２の機能装置部の設定項目のうちの、前記操作ボタンの割付変更項目が選択されたときに、当該操作ボタンについての複数個の割付機能を選択可能に表示する割付変更用画面を表示する工程と、
前記割付変更用画面において、割り付けられる割付機能の選択入力を受け付け、前記操作ボタンに対する設定された機能として記憶する記憶工程と、
を備え、前記記憶工程で記憶された前記操作ボタンに対する設定された機能を参照して、前記リモートコマンダからその後入力される遠隔制御信号を判断するようにする
ことを特徴とする複合装置の遠隔制御装置部の操作ボタン機能割付変更方法。
【請求項１２】
請求項１１に記載の複合装置の遠隔制御装置部の操作ボタン機能割付変更方法において、
前記第２の機能装置部は、再生装置部であって、
前記操作ボタンの前記割付変更項目は、サーチ再生機能と、再生位置を所定の時間後、または、所定時間前の再生位置にジャンプする機能である
ことを特徴とする複合装置の遠隔制御装置部の操作ボタン機能割付変更方法。
【発明の詳細な説明】
【技術分野】
【０００１】
この発明は、例えばハードディスクやＤＶＤ（Ｄｉｇｉｔａｌ  Ｖｅｒｓａｔｉｌｅ  Ｄｉｓｃ）あるいはＣＤ（Ｃｏｍｐａｃｔ  Ｄｉｓｃ）などに保存されたコンテンツを再生する再生装置部と、コンピュータゲームを行なうためのゲーム機部とを複合した装置に関し、特に、当該複合装置に付属する遠隔制御装置部の操作ボタンに割り付けられる機能の変更に関する発明に係わる。
【背景技術】
【０００２】
画像や音楽のコンテンツを提供するメディアが多様化し、また、提供されるコンテンツも多種、多量となっている。そして、コンテンツの再生装置として、このような多種多様なメディアのコンテンツを再生可能とする、いわゆるマルチメディア再生装置も提案されている（例えば特許文献１（特開平１１−７３４２８号公報）参照）。
【０００３】
そして、このようなマルチメディア再生装置として、ゲーム機と複合した複合装置も市販されている。この複合装置においては、ゲーム機部の機能を使い易くするため、ゲーム機用の操作コントローラが付属されていると共に、再生装置部の機能を使い易くするため、リモートコマンダも付属されている。
【０００４】
また、ゲーム機部用の操作コントローラは、再生装置部のリモートコマンダとしても利用できるように、操作ボタンの機能の割付がなされている。さらに、リモートコマンダには、ゲーム機部用の操作コントローラの各操作ボタンに対応する操作ボタン群が設けられており、それらの操作ボタンの機能は、ゲーム機部用の操作コントローラの操作ボタンと全く等しい機能を持つようにされている。したがって、ゲーム機部用の操作コントローラと、リモートコマンダとは、いずれも複合装置の遠隔制御装置部として働くものである。
【特許文献１】特開平１１−７３４２８号公報
【発明の開示】
【発明が解決しようとする課題】
【０００５】
ところで、前記の複合装置に新たな機能を付加しようとした場合、その付加機能を起動させるための操作ボタンを、操作コントローラやリモートコマンダに設ける必要がある。この場合に、前述したように、複合装置用のリモートコマンダは、既にゲーム機部用の操作ボタン群を備えるなど、多数のボタンを備えており、さらに、操作ボタンを増加することは好ましくない。また、ゲーム機用の操作コントローラに、新たな操作ボタンを設けることは、従前の操作コントローラとは異なる操作コントローラを作成する必要があり、好ましくない。
【０００６】
また、既に複合装置を購入済みのユーザに対しては、新たな付加機能を追加するために、新たな操作コントローラやリモートコマンダの購入を要求することになり、経済的負担を強いると言う問題がある。
【０００７】
そこで、リモートコマンダの特定の操作ボタンに、新たな機能を、もともとの機能と切り替え可能に設定できるようにすることが考えられる。この方法によれば、新たな操作ボタンを増加せずに、新たな付加機能を起動させることができるようになる。
【０００８】
しかしながら、この場合に、２つの機能が切り替え可能に設定される操作ボタンでは、もともとの機能と、新たな付加機能との一方しか、起動できなくなるという問題がある。
【０００９】
この発明は、この問題点を、解決することができる複合装置を提供することを目的とする。
【課題を解決するための手段】
【００１０】
上記の課題を解決するために、請求項１の発明は、
第１の機能装置部と、第２の機能装置部とを備えると共に、前記第１の機能装置部と、前記第２の機能装置部とを遠隔制御する遠隔制御装置部とを備える複合装置であって、
前記遠隔制御装置部は、前記第１の機能装置部の遠隔制御用の操作ボタン群と、前記第２の機能装置部の遠隔制御用の操作ボタン群とを備え、
前記第１の機能装置部の遠隔制御用の操作ボタン群の少なくとも一部は、前記第２の機能装置部の遠隔制御用の操作ボタンとしても割り当てられており、かつ、特定の前記第２の機能装置部の遠隔制御機能は、前記第２の機能装置部の遠隔制御用の操作ボタンとしても割り当てられている前記第１の機能装置部の遠隔制御用の操作ボタンにダブって割り当てられていると共に、
前記遠隔制御装置の前記第１の機能装置部の遠隔制御用の操作ボタン群のうちの、前記特定の前記第２の機能装置部の遠隔制御機能が他の操作ボタンとダブって割り付けられている操作ボタンは、割り付けられている前記遠隔制御機能が、さらに別の遠隔制御機能に割付変更可能とされている
ことを特徴とする複合装置を提供する。
【００１１】
上述の構成の請求項１の発明によれば、複合装置の遠隔制御装置の操作ボタンのうちの、他の操作ボタンとダブった再生についての制御機能が割り当てられていた操作ボタンに、他の制御機能が切り替え設定されて割り当て変更される。割り付けられる制御機能が変更された操作ボタンの、変更前の制御機能は、他の操作ボタンにダブって割り当てられているので、当該変更前の制御機能が起動できなくなると言う事態は生じない。
【発明の効果】
【００１２】
この発明によれば、２つの機能が切り替え可能に設定される操作ボタンの、一方の制御機能は、ダブって他の操作ボタンに割り当てられているので、切り替え可能な２つの機能の一方しか起動できなるという不都合を回避することができる。
【発明を実施するための最良の形態】
【００１３】
以下、この発明による複合装置の実施形態を、図を参照しながら説明する。以下に説明する実施形態は、この発明の複合装置を、テレビゲーム機の機能や、テレビ放送受信および録画機能、また、ＤＶＤ（Ｄｉｇｉｔａｌ  Ｖｅｒｓａｔｉｌｅ  Ｄｉｓｃ）の記録再生機能などを有するマルチメディア記録再生装置に適用した場合である。
【００１４】
なお、以下の説明において、コンテンツとは、信号によって表現された、音楽の楽曲、動画や静止画などの画像、電子小説などのテキストデータ、ゲームソフトなど、人が視覚的あるいは聴覚的に認識できる内容情報である。
【００１５】
また、メディアとは、ハードディスク、光ディスク、メモリカード、磁気テープなどの情報の記憶媒体や、電波やケーブルなどの情報の伝送媒体を示すものであるが、ゲームメディアなど記憶媒体や伝送媒体が同じであっても、データ形式や圧縮形式が異なるものは、別のメディアとして区別されるものである。
【００１６】
＜マルチメディア記録再生システムの構成＞
図２は、この実施形態が適用されたマルチメディア記録再生装置１０を含むマルチメディア記録再生システムの基本的な構成を示す。
【００１７】
この例のマルチメディア記録再生装置１０は、映像やグラフィック・ユーザ・インターフェース画面を表示する表示用ディスプレイは備えておらず、その代わりに図示を省略した映像出力端子を備える。そして、マルチメディア記録再生装置１０の映像出力端子は、接続ケーブル１１を介して、例えばＣＲＴ（Ｃａｔｈｏｄｅ  Ｒａｙ  Ｔｕｂｅ；陰極線管）やＬＣＤ（Ｌｉｑｕｉｄ  Ｃｒｙｓｔａｌ  Ｄｉｓｐｌａｙ；液晶ディスプレイ）などからなるモニターディスプレイ３０に接続され、このモニターディスプレイ３０の画面３１が、映像表示用およびユーザ・インターフェース画面表示用とされる。
【００１８】
なお、図２の例では、モニターディスプレイ３０は、その左右の両端に、スピーカ３２Ｌ，３２Ｒを備え、図示を省略したマルチメディア記録再生装置２０の音声出力端子からの音声信号が、図示を省略したケーブルを介してモニターディスプレイ３０に供給されて、音響再生されるようにされている。
【００１９】
マルチメディア記録再生装置２０には、放送、インターネット、ＤＶＤやＣＤ（Ｃｏｍｐａｃｔ  Ｄｉｓｃ）などの光ディスク、メモリカードなどの複数種のメディアを通じて、コンテンツの情報が入力される。
【００２０】
放送メディアに関して説明すると、マルチメディア記録再生装置１０には、この例では、テレビ放送受信用アンテナ１２が接続され、当該アンテナ１２にて受信されたテレビ放送信号がマルチメディア記録再生装置１０に供給される。そして、マルチメディア記録再生装置１０では、テレビ放送信号からユーザにより選択された放送番組コンテンツが抽出されてデコードされ、その放送番組映像がモニターディスプレイ３０の画面に表示されると共に、その放送番組の音声がモニターディスプレイ３０のスピーカ３２Ｌ，３２Ｒにより音響再生される。また、マルチメディア記録再生装置１０は、放送番組コンテンツを録画する機能も備えている。
【００２１】
インターネットメディアに関して説明すると、マルチメディア記録再生装置１０には、インターネットに接続するための通信回線１３が接続されており、インターネットを通じて取得されたウェブコンテンツのデータが、マルチメディア記録再生装置１０に入力される。このウェブコンテンツのデータは、マルチメディア記録再生装置１０に保存することができるようにされていると共に、マルチメディア記録再生装置１０が持つゲーム機能などの各種機能において、利用することができるように構成されている。
【００２２】
また、光ディスクメディアに関して説明すると、マルチメディア記録再生装置１０は、ＤＶＤやＣＤなどの光ディスク１４に格納されたコンテンツのデータの読み取り機能を備え、読み取ったデータをデコードして、モニターディスプレイ３０に供給して、視聴に供するようにする。また、ＤＶＤから読み取った映像コンテンツの動画像データや音声データおよび、ＣＤから読み取った音楽コンテンツのデータを格納する機能も有する。
【００２３】
光ディスクに格納されるコンテンツとしては、例えば映画の映像や音楽および音声、クラシック音楽や歌謡曲などの楽曲、電子小説などがある。電子小説のコンテンツのデータとしては、テキストデータや朗読の音声データ、挿絵などの画像データ等がある。
【００２４】
メモリカードメディアに関しては、マルチメディア記録再生装置１０は、メモリカード１５に格納されたデータの読み取り機能および書き込み機能とを有する。メモリカード１５に記憶されるコンテンツのデータとしては、デジタルカメラで撮影された動画や静止画の撮影画像や付随する音声情報などがあり、これらもマルチメディア記録再生装置１０が備えるデータ格納部に格納可能である。
【００２５】
この例のマルチメディア記録再生装置１０は、前述したようなマルチメディアの記録再生機能を備えるのみではなく、ゲーム機の機能をも備えている。操作コントローラ４０は、主として、マルチメディア記録再生装置１０のゲーム機部用の制御用であり、接続ケーブル４０Ｃを介してマルチメディア記録再生装置１０に接続されている。操作コントローラ４０は、また、マルチメディアの記録再生機能の制御用としても用いることができるようにされている。
【００２６】
操作コントローラ４０は、この例においては、主としてゲーム機部用の操作コントローラとして用いられるものであって、従来のゲーム機用の操作コントローラと同一に構成されており、操作ボタンの数は、比較的少なく、図２の例においては、ひし形の頂点位置に設けられた４個の操作ボタン４１，４２，４３，４４と、十字型方向指示ボタン４５と、スタートボタン４６ＳＴと、セレクトボタン４６ＳＥと、操作コントローラ４０の側方に設けられたＬ１ボタン４７Ｌ、Ｒ１ボタン４７Ｒ、Ｌ２ボタン４８ＬおよびＲ２ボタン４８Ｒと、Ｌ３ボタン４９Ｌ、Ｒ３ボタン４９Ｒとが設けられている。
【００２７】
４個の操作ボタン４１，４２，４３，４４の押下部の表面には、この例には、特定の標識（マーク）が、図２の例では、丸印、三角印、四角印、×印が印刷等により表示されている。後述するように、これらの４個の操作ボタン４１，４２，４３，４４およびスタートボタン４６ＳＴ、セレクトボタン４６ＳＥは、モニターディスプレイ３０の表示画面に表示されるグラフィック・ユーザ・インターフェースにおける特定の操作項目に対応するように予め定められている。
【００２８】
特に、４個のボタン４１，４２，４３，４４に対応付けられるグラフィック・ユーザ・インターフェースにおける操作項目には、これらの操作ボタン４１，４２，４３，４４に表示されている標識と同じ標識が、後述するように、表示されて、操作ボタンと、操作項目との対応が一目でわかるようにされている。
【００２９】
モニターディスプレイ３０の画面にグラフィック・ユーザ・インターフェースが表示されているときに、操作コントローラ４０のボタンがユーザにより操作されると、そのボタン操作がグラフィック・ユーザ・インターフェース画面に反映されるように構成されている。
【００３０】
また、操作コントローラ４０は、マルチメディア記録再生装置１０のマルチメディアの記録再生機能の遠隔制御用として用いることができるようにされており、当該マルチメディアの記録再生機能の遠隔制御用として用いる場合には、Ｌ１ボタン４７ＬおよびＲ１ボタン４７Ｒは、フォワード方向の頭出しおよびバックワード方向の頭出しの機能ボタンとして働くように割り付けられ、Ｌ２ボタン４８ＬおよびＲ２ボタン４８Ｒは、フォワード方向のサーチ（早送り再生）およびバックワード方向のサーチ（巻戻し再生）の機能ボタンとして働くように割り付けられる。
【００３１】
さらに、操作コントローラ４０の十字型方向指示ボタン４５の、左方向および右方向の操作は、フォワード方向のサーチ（早送り再生）およびバックワード方向のサーチ（巻戻し再生）の機能を起動する操作とされている。
【００３２】
したがって、操作コントローラ４０では、フォワード方向のサーチ（早送り再生）およびバックワード方向のサーチ（巻戻し再生）の機能は、Ｌ２ボタン４８ＬおよびＲ２ボタン４８Ｒと、十字型方向指示ボタン４５の、左方向および右方向の操作ボタン部とに、ダブって割り付けられている。
【００３３】
この実施形態では、また、ゲーム機部用の操作コントローラ４０の他に、マルチメディア記録再生装置１０について、その全部の機能を制御することができる遠隔制御装置部として、リモートコマンダ５０が設けられる。このリモートコマンダ５０は、この例では、赤外線を用いた無線のリモコンとされている。
【００３４】
図１は、この例のリモートコマンダ５０の操作ボタン群の配列レイアウトの一例を示すものである。
【００３５】
図１に示すように、この例のリモートコマンダ５０は、電源ボタン５１と、放送受信選択用の操作ボタン群５２と、ゲーム機部用の操作ボタン群５３および５４と、記録再生制御用の操作ボタン群５５と、その他の複数個の操作ボタンとを備えている。
【００３６】
放送受信選択用の操作ボタン群５２は、放送番組のダイレクト選局用の操作ボタンや、チャンネルアップおよびダウン用の操作ボタンや、音量制御用の操作ボタンなどを含む。
【００３７】
操作ボタン群５３および５４は、操作コントローラ４０の各操作ボタンに１対１に対応する操作ボタン群である。操作ボタン群５３の操作ボタン５３１，５３２，５３３，５３４のそれぞれは、操作コントローラ４０の操作ボタン４１，４２，４３，４４のそれぞれに対応する操作ボタンであり、操作ボタン５３１，５３２，５３３，５３４の押下部の表面には、操作ボタン４１，４２，４３，４４のそれぞれの押下部の表面に付されていた標識と同一の標識、つまり、丸印、三角印、四角印、×印が印刷等により表示されている。
【００３８】
操作ボタン群５３のうちの操作ボタン５３５は、操作コントローラ４０の十字型方向指示ボタン４５に対応するものである。この操作ボタン５３５は、ジョイ・スティック状のもので、図１において矢印で示されるように、この例では、上下左右の４方向への操作が可能であると共に、操作コントローラ４０の操作ボタン４５と同様に、決定操作を意味する押下操作が可能である。したがって、この操作ボタン５３５の左右方向への操作は、マルチメディア記録再生装置１０が、記録再生装置として働くときであって、その再生モードにおいては、フォワード方向のサーチ（早送り再生）およびバックワード方向のサーチ（巻戻し再生）の制御機能を起動する操作とされている。
【００３９】
また、操作ボタン群５４の各操作ボタン５４１，５４２，５４３，５４４，５４５，５４６，５４７，５４８は、操作コントローラ４０の操作ボタン４６ＳＴ，４６ＳＥ，４７Ｌ，４７Ｒ，４８Ｌ，４８Ｒ，４９Ｌ，４９Ｒのそれぞれに対応している。したがって、Ｌ１ボタン４７ＬおよびＲ１ボタン４７Ｒに対応する操作ボタン５４３，５４４は、フォワード方向の頭出しおよびバックワード方向の頭出しの制御機能ボタンとして働くように割り付けられ、Ｌ２ボタン４８ＬおよびＲ２ボタン４８Ｒに対応する操作ボタン５４５，５４６は、フォワード方向のサーチ（早送り再生）およびバックワード方向のサーチ（巻戻し再生）の制御機能ボタンとして働くように割り付けられる。
【００４０】
したがって、リモートコマンダ５０においても、操作コントローラ４０と同様に、フォワード方向のサーチ（早送り再生）およびバックワード方向のサーチ（巻戻し再生）の機能は、操作ボタン５３５と、操作ボタン５４５，５４６とにダブって割り付けられている。
【００４１】
［複数の機能が割り付けられる操作ボタン］
この実施形態では、操作コントローラ４０のうちの、十字型方向指示ボタン４５と、Ｌ２ボタン４８ＬおよびＲ２ボタン４８Ｒとには、リモコン制御機能として、前記のように再生モードの時におけるフォワード方向のサーチ（早送り再生）およびバックワード方向のサーチ（巻戻し再生）の機能が、ダブって割り付けられている。
【００４２】
また、これに対応して、リモートコマンダ５０では、操作ボタン群５３のうちの操作ボタン５３５と、操作ボタン群５４のうちの、操作ボタン５４５および５４６とには、同様にして、フォワード方向のサーチ（早送り再生）およびバックワード方向のサーチ（巻戻し再生）の機能が、ダブって割り付けられている。
【００４３】
この実施形態では、操作コントローラ４０やリモートコマンダ５０において、このようにダブってリモコン制御機能が割り付けられている操作ボタンの一方、この例では、Ｌ２ボタン４８ＬおよびＲ２ボタン４８Ｒや、Ｌ２操作ボタン５４５およびＲ２操作ボタン５４６には、フォワード方向のサーチ（早送り再生）およびバックワード方向のサーチ（巻戻し再生）の制御機能と、「フラッシュ」と名付けられたジャンプ機能との２つの制御機能のいずれか一方が、ユーザにより切り替え設定可能に割り付けられる。
【００４４】
ここで、「フラッシュ」と名付けられた機能は、当該機能が割り付けられた操作ボタンが押されると、所定時間分、前または後の再生位置にジャンプする機能である。例えば、再生中に、Ｌ２ボタン４８ＬあるいはＬ２操作ボタン５４５が１回だけ押されると、現在再生位置よりも１３秒前の再生位置にジャンプする。また、Ｌ２ボタン４８ＬあるいはＬ２操作ボタン５４５が続けて２回押されると、現在再生位置よりも（１３秒＋１５秒＝２８秒）前の再生位置にジャンプし、続けて３回押されると、現在再生位置よりも（１３秒＋１５秒＋１５秒＝４３秒）前の再生位置にジャンプする。つまり、Ｌ２ボタン４８ＬあるいはＬ２操作ボタン５４５が続けてｎ回（ｎは１以上の整数）押されると、再生位置が、現在再生位置よりも（１３秒＋１５×（ｎ−１））秒前の再生位置にジャンプする。
【００４５】
また、再生中に、Ｒ２ボタン４８ＲあるいはＲ２操作ボタン５４６が続けてｎ回操作されると、再生位置が、現在再生位置よりも（１３秒＋１５×（ｎ−１））秒後の再生位置にジャンプする。
【００４６】
この「フラッシュ」の機能は、基本的には、操作ボタンをｎ回操作すると、再生位置を、１５×ｎ秒だけ、前または後の再生位置にジャンプさせるものである。この例において、最初の一回目の操作ボタンの操作に対しては、１５秒ではなく、１３秒を割り当てたのは、例えば再生画面を見ながら、操作ボタンを操作するものであるので、実際にジャンプさせたいタイミングに対するユーザの操作ボタンの操作遅れを考慮したものである。
【００４７】
Ｌ２ボタン４８ＬおよびＲ２ボタン４８Ｒや、Ｌ２操作ボタン５４５およびＲ２操作ボタン５４６に対して、前記の再生制御機能のいずれを割り付けるかの設定は、後述するように、操作コントローラ４０やリモートコマンダ５０の操作に応じて、マルチメディア記録再生装置１０によってモニターディスプレイ３０に表示されるグラフィック・ユーザ・インターフェースを通じて行なわれる。
【００４８】
＜マルチメディア記録再生装置１０の構成＞
図３に、この実施形態のマルチシステムの例としてのマルチメディア記録再生装置１０の主要部のハードウエア構成を示す図を示す。なお、この図３の例においては、説明の簡単のため、オーディオ信号系については省略した。
【００４９】
この実施形態のマルチメディア記録再生装置１０は、情報処理装置部の例としてのゲーム機部６０と、情報記録装置部の例としてのテレビ放送記録装置部７０と、データ格納部の例としてのハードディスク装置（ハードデディスクドライブ）８０と、これらのゲーム機部６０とテレビ放送記録装置部７０とハードディスク装置８０とを接続するための接続回路部９０とを備えている。
【００５０】
［ゲーム機部６０］
この例のマルチメディア記録再生装置１０においては、ゲーム機部６０の部分は、従来との互換を優先するため、ハードウエア的には、従来の構成のものとほぼ同様とする。また、ＤＶＤドライバ部およびメモリカード１５の入出力インターフェース部と、操作コントローラ４０やリモートコントロール信号の受信部も、このゲーム機部６０に設けるようにしている。
【００５１】
このゲーム機部６０においては、バス６００に対して、マイクロコンピュータを構成するプロセッサ（以下、このプロセッサをＩＯＰと称する）６０１と、ブートＲＯＭ（Ｒｅａｄ  Ｏｎｌｙ  Ｍｅｍｏｒｙ）６０５と、ＤＶＤコントローラ６０７と、リモコン受信処理部６０８とが接続されている。
【００５２】
ＤＶＤコントローラ６０７には、ＤＶＤ読み出し／書き込み部６０６が接続されている。この例のマルチメディア記録再生装置１０では、ゲーム・ソフトウエアは、ＤＶＤに記録されて提供される。ブートＲＯＭ６０５には、ゲーム・ソフトウエア（ゲーム・プログラム）を立ち上げるためのプログラムが書き込まれている。また、この実施形態では、映画のコンテンツなどを記録してあるＤＶＤも再生可能とされると共に、記録可能なＤＶＤに対して、テレビ放送番組の記録も可能とされている。
【００５３】
リモコン受信処理部６０８は、例えばマイクロコンピュータを備えると共に、リモートコマンダ５０からの赤外線のリモコン信号を受信する赤外線受光部を備えて構成されている。リモコン受信処理部６０８は、リモートコマンダ５０からの赤外線リモコン信号を受信すると、当該リモコン信号は、いずれの操作ボタンが押されたことによるものであるかを判別し、当該判別された操作ボタンに割り付けられている制御機能に応じた制御信号を発生し、バス６００に送出する。この制御信号は、ＩＯＰ６０１に送られて、ＩＯＰ６０１により、解読されて、当該制御信号に応じた処理がなされる。
【００５４】
リモコン受信処理部６０８は、図示を省略するが、リモートコマンダ５０の操作ボタンと、当該操作ボタンに割り付けられた制御機能との対応テーブル（以下、リモコン変換対応テーブルと称する）を記憶するメモリを備え、受信したリモコン信号から判別された操作ボタンに対応する制御機能が、当該メモリのリモコン変換対応テーブルを参照することにより判別するようにする。
【００５５】
すなわち、リモコン変換対応テーブルは、操作ボタンと、当該操作ボタンに割り付けられている制御機能との対応テーブルであるが、この実施形態では、リモートコマンダ５０の操作ボタンに対して割り付けられる制御機能は、マルチメディア記録再生装置１０が、ゲーム機として動作するモードのときと、記録再生装置として動作するモードのときとで、異なるものとされているので、リモコン変換対応テーブルは、マルチメディア記録再生装置１０が、ゲーム機として動作するモードのときと、記録再生装置として動作するモードのときとで、異なるものが用意されている。
【００５６】
そして、リモコン信号受信処理部６０８は、現在、どのモードの状態であるかを判別し、その判別結果に応じて切り替えるようにしている。リモコン信号受信処理部６０８は、現在、どのモードであるかは、ＩＯＰ６０１からの情報により判別する。
【００５７】
ＩＯＰ６０１には、描画エンジン６０２が接続されると共に、操作コントローラ４０およびメモリカード１５用のインターフェースが接続される。ＩＯＰ６０１は、操作コントローラ４０からの操作信号を受信すると、当該操作信号は、いずれの操作ボタンが押されたことによるものであるかを判別し、当該判別された操作ボタンに割り付けられている制御機能に応じた制御信号を発生し、バス６００に送出する。
【００５８】
ＩＯＰ６０１は、図示を省略するが、操作コントローラ４０の操作ボタンと、当該操作ボタンに割り付けられた制御機能との変換対応テーブルを記憶するメモリを備え、操作コントローラ４０から受信した操作信号から判別された操作ボタンに対応する制御機能が、当該メモリの変換対応テーブルを参照することにより判別するようにする。
【００５９】
このＩＯＰ６０１に設けられる変換対応テーブルも、マルチメディア記録再生装置１０が、ゲーム機として動作するモードのときと、記録再生装置として動作するモードのときとで、異なるものが用意され、ＩＯＰ６０１は、現在、どのモードの状態であるかを判別し、その判別結果に応じて切り替えるようにしている。
【００６０】
描画エンジン６０２は、ゲーム・ソフトウエアに基づいた描画コマンドなどの描画用データを生成したり、操作部５０を通じてユーザの操作入力に応じたグラフィック・ユーザ・インターフェース画面データを生成するための描画用データを生成したりするなどの処理を行なう。描画エンジン６０２は、ＤＶＤに記録された、ＭＰＥＧ（Ｍｏｖｉｎｇ  Ｐｉｃｔｕｒｅ  Ｅｘｐｅｒｔｓ  Ｇｒｏｕｐ）方式で圧縮符号化された画像データやハードディスク装置８０に格納されたＭＰＥＧ圧縮符号化画像データをデコードする機能も備えている。描画エンジン６０２は、アプリケーションを走らせるＣＰＵでもある。
【００６１】
描画エンジン６０２からのゲーム・ソフトウエアに基づいた描画用データなどは、表示画像データ生成出力部６０３に供給される。表示画像データ生成出力部６０３は、前記描画用データなどに基づき、ディスプレイ３０に表示するための表示画像データに生成する。表示画像データ生成出力部６０３からの表示画像データは、画像混合部６０４および表示用信号変換出力部６０９を通じてディスプレイ３０に送られる。
【００６２】
また、ＤＶＤがゲーム・ソフトウエア用ではなく、映画コンテンツなどを記録したものである場合には、ＩＯＰ６０１の制御に基づいて、描画エンジン６０２からは圧縮符号化された映画コンテンツデータのデコードデータが得られ、そのデコードデータが表示画像データ生成出力部６０３で映画コンテンツの再生画像データとされ、画像混合部６０４および表示用信号変換出力部６０９を通じてディスプレイ３０に供給される。
【００６３】
また、描画エンジン６０２が、ＩＯＰ６０１からの制御指示に応じて生成したグラフィック・ユーザ・インターフェース画面を生成するための描画用データは、表示画像データ生成出力部６０３を通じて画像混合部６０４に送られ、後述するように、テレビ放送記録装置部７０からのテレビ放送番組等の画像データに、α（アルファ）ブレンディングにより混合され、モニターディスプレイ３０の画面には、テレビ放送番組の画像に半透明の状態で重畳されてグラフィック・ユーザ・インターフェース画面が表示される。
【００６４】
ここで、αブレンディングとは、ある表示画像の上に、半透明の状態で、別の画像を重畳して表示するようにする画像混合方法の呼称であり、２つの画像データを指定された混合比α（０≦α≦１．０）で混合することにより、当該指定された混合比αに応じた半透明の度合いで、重畳表示することができる。
【００６５】
また、ＩＯＰ６０１は、このグラフィック・ユーザ・インターフェースを通じて操作部５０を操作することにより入力されたユーザ入力を判別し、そのユーザ入力に応じた処理がテレビ放送記録装置部７０に関するものであるときには、そのコマンドを接続回路部９０を通じてテレビ放送記録装置部７０側に転送する機能も備えている。
【００６６】
また、ＩＯＰ６０１は、後述するように、テレビ放送番組コンテンツをＤＶＤに記録するための処理機能も備えている。
【００６７】
バス接続部６１０は、後述する接続回路部９０のバス９０１と、ゲーム機部６０のバス６００を接続するためのもので、これは、いわゆるファイアウォールを形成して、接続回路部９０側からゲーム機６０側への不正なアクセスを防止するために設けられている。
【００６８】
［テレビ放送記録装置部７０］
テレビ放送記録装置部７０においては、バス７００に対して、マイクロコンピュータを構成するプロセッサ（以下、このプロセッサをＤＶＲＰと称する）７０１と、ワークＲＡＭ７０２とが接続されている。
【００６９】
そして、テレビ放送受信部７０３は、アンテナ１２で受信されたテレビ信号から、リモートコマンダ５０を通じて入力されたユーザの選局操作に応じた放送番組を選択し、選択回路７０４を通じてＡＶ（Ａｕｄｉｏ  Ｖｉｓｕａｌ）処理部７０５に送出する。なお、リモートコマンダ５０からのリモコン信号は、リモコン信号受信処理部６０８で受信され、接続回路部９０を通じて（共有レジスタ９０８）、バス７００に転送され、ＤＶＲＰ７０１により選局制御や、ＡＶ信号の制御用として処理される。リモコン信号受信処理部６０８からの制御信号は、一旦、ＩＯＰ６０１に送られ、ＩＯＰ６０１が解釈して、接続回路部９０を通じてバス７００に転送される。
【００７０】
また、外部入力端子７０６からの画像データおよびオーディオデータが、選択回路７０４を通じてＡＶ処理部７０５に供給される。選択回路７０４は、リモートコマンダ５０や、モニターディスプレイ３０の画面上に表示されたグラフィック・ユーザ・インターフェースにおいて操作コントローラ４０を通じた選択操作に応じて切り替えられる。リモートコマンダ５０や操作コントローラ４０を通じて入力され、リモコン信号受信処理部６０８やＩＯＰ６０１で検知された選択操作の情報は、接続回路部９０の共有レジスタ９０８を通じて、バス７００に転送され、ＤＶＲＰ７０１に受信されて処理される。
【００７１】
ＡＶ処理部７０５では、テレビ放送番組コンテンツの映像信号および音声信号を再生する。そして、再生した映像信号および音声信号は、選択回路７０７に供給される。そして、選択回路７０７がＤＶＲＰ７０１により選択制御されて、テレビ放送番組コンテンツを記録する場合には、ＭＰＥＧ（Ｍｏｖｉｎｇ  Ｐｉｃｔｕｒｅ  Ｅｘｐｅｒｔｓ  Ｇｒｏｕｐ）エンコーダ７０８に供給される。
【００７２】
ＭＰＥＧエンコーダ７０８では、映像信号および音声信号を圧縮符号化し、その圧縮符号化データを、接続回路部９０を介して、ＤＶＲＰ７０１の制御の下に、ハードディスク装置８０に記録し、あるいはＩＯＰ６０１の制御の下に、ＤＶＤに記録するようにする。
【００７３】
また、テレビ放送番組コンテンツや外部入力端子を通じて入力された画像データおよびオーディオデータのコンテンツを記録せずに、単に視聴する場合には、選択回路７０７から画像データは、画像混合部６０４を通じてモニターディスプレイ３０に供給される。
【００７４】
［接続回路部９０］
次に、接続回路部９０について説明する。この接続回路部９０は、ゲーム機部６０のＩＯＰ６０１と、テレビ放送記録装置部７０のＤＶＲＰ７０１とが、ハードディスク装置８０を共にアクセスすることができるようにするためと、ゲーム機部６０側で受け付けたユーザ入力操作に応じたコマンドを、ゲーム機部６０側からテレビ放送記録装置部７０側に転送するためのものである。
【００７５】
なお、この実施形態では、前述したように、テレビ放送記録装置部７０側が、優先的にハードディスク装置８０をアクセスすることができるように構成している。すなわち、テレビ放送番組のコンテンツの録画およびその再生を優先するようにしている。
【００７６】
また、ハードディスク装置８０のデータ格納領域は、いくつかに分割されており、テレビ放送記録装置部７０からのテレビ放送番組コンテンツ等の画像データや音声データのデータ記録領域ＤＶと、ゲーム機部６０用のデータ記録領域ＩＯとで、異なる領域が割り当てられている。
【００７７】
この実施形態においては、基本的には、ＩＯＰ６０１からのハードディスク装置８０のアクセスにおいては、データ記録領域ＩＯに対するデータの読み書きを行なう。また、テレビ放送番組等の画像データや音声データの記録再生時は、ＤＶＲＰ７０１は、ハードディスク装置８０のデータ記録領域ＤＶをアクセスすることになる。
【００７８】
接続回路部９０は、ゲーム機部６０のバス６００にバス接続部６０８を介して接続されるバス９０１と、テレビ放送記録装置部７０のバス７００に接続されているバス９０２とを備えると共に、ハードディスクコントロール部９０３と、共有レジスタ９０４と、共有ＤＭＡバッファ９０５と、ＭＰＥＧブリッジ部９０６とが設けられる。ハードディスクコントローラ部９０３と、共有レジスタ９０８と、共有ＤＭＡバッファ９０９とは、バス９０１側からＩＯＰ６０１によりアクセスが可能であると共に、バス９０２側からＤＶＲＰ７０１によりアクセスが可能である。
【００７９】
ＭＰＥＧブリッジ部９０６は、ＤＶＲＰ７０１からの選択制御信号により選択制御されて、ＭＰＥＧエンコーダ７０８からのテレビ放送番組コンテンツの圧縮データを、バス９０１またはバス９０２のいずれかに転送するようにする。
【００８０】
さらに、バス９０１には、例えば通信インターフェース９０７を通じてモデム９０８が接続される。モデム９０８は、電話回線１３に接続されている。
【００８１】
ＤＶＲＰ７０１がハードディスク装置８０をアクセスする場合には、ハードディスクコントロール部９０３を介して直接的にハードディスク装置８０にアクセスすることが可能である。しかし、ＩＯＰ６０１は、ハードディスク装置８０に対しては直接的にはアクセスすることができず、ＩＯＰ６０１のコマンドなどをハードディスクコントロール部９０３に設けられたレジスタに書き込み、このレジスタの内容をＤＶＲＰ７０１がハードディスク装置８０に転送することにより、アクセスすることができるようにされている。
【００８２】
共有レジスタ９０８および共有ＤＭＡバッファ９０９は、ＩＯＰ６０１とＤＶＲＰ７０１とが、共有して使用する場合のものである。例えば、共有レジスタ９０８は、ＩＯＰ６０１が、グラフィック・ユーザ・インターフェースを通じたユーザ入力に応じたコマンドや、図示を省略したリモートコマンダから受けたリモートコントロール信号に応じたコマンドを、ＤＶＲＰ７０１に通知するために用いられる。
【００８３】
［動作説明］
以下に、上述の構成のマルチメディア記録再生装置１０の主要な動作を説明する。
【００８４】
［放送番組コンテンツや外部入力コンテンツの視聴用再生動作］
リモートコマンダ５０が用いられてユーザによりテレビ放送番組コンテンツの視聴の選択入力がなされると、リモートコマンダ５０から当該選択入力の赤外線リモコン信号がリモコン受信処理部６０８に送られる。リモコン受信処理部６０８では、前記選択入力を判別して、その判別結果の制御信号をバス６００を通じてＩＯＰ６０１に送る。ＩＯＰ６０１は、この制御信号を判別して、共有レジスタ９０４を通じてＤＶＲＰ７０１に、選局コマンドを渡す。
【００８５】
あるいは、例えば、モニターディスプレイ画面に表示されたグラフィック・ユーザ・インターフェース画面において、操作コントローラ４０を介したユーザ入力によりテレビ放送番組コンテンツの視聴の選択入力がなされると、ＩＯＰ６０１は、それを検知して、共有レジスタ９０４を通じてＤＶＲＰ７０１に、選局コマンドを渡す。
【００８６】
ＤＶＲＰ７０１は、選局コマンドに応じたテレビ放送番組コンテンツを選択するように放送受信部７０２を制御するとともに、選択回路７０４をテレビ放送番組コンテンツを選択するように制御する。そして、選択回路７０７を、画像混合部６０４側を選択する状態に制御して、テレビ放送番組コンテンツの画像データを、画像混合部６０４を通じてモニターディスプレイ３０に供給するように制御する。これにより、モニターディスプレイ３０において、テレビ放送番組コンテンツが視聴される。
【００８７】
また、リモートコマンダ５０や操作コントローラ４０を介したユーザ入力により外部入力端子７０６を通じて入力された外部入力コンテンツの選択操作入力がなされた場合には、ＩＯＰ６０１からのコマンドを共有レジスタ９０４を通じて受けたＤＶＲＰ７０１は、選択回路７０４を外部入力端子７０６側に切り替える。これにより、選択回路７０７からは、外部入力端子７０６を通じて入力された外部コンテンツの画像データが画像混合部６０４に供給され、モニターディスプレイ３０において、外部入力コンテンツが視聴される。
【００８８】
［放送番組コンテンツの録画再生動作］
例えば、リモートコマンダ５０や操作コントローラ４０を介したユーザ入力によりハードディスク装置８０への録画指示入力またはハードディスク装置８０からの再生指示入力がなされると、ＩＯＰ６０１は、それを検知して、共有レジスタ９０４を通じてＤＶＲＰ７０１に、録画コマンドまたは再生コマンドを渡す。
【００８９】
ＤＶＲＰ７０１は、録画コマンドに応じたテレビ放送番組コンテンツの録画時には、ＭＰＥＧエンコーダ７０８からの放送番組コンテンツの圧縮符号化データを、ＭＰＥＧブリッジ部９０６からハードディスクコントロール部９０３を通じてハードディスク装置８０に書き込むように制御する。
【００９０】
また、再生コマンドに応じたハードディスク装置８０に書き込まれているコンテンツの再生時には、ＤＶＲＰ７０１は、ハードディスクコントロール部９０３を通じてハードディスク装置８０から対象となる圧縮符号化データを読み出す。ハードディスク装置８０から読み出された圧縮符号化データは、共有ＤＭＡバッファ９０５を通じてゲーム機部６０側に転送される。
【００９１】
ゲーム機部６０側では、ＩＯＰ６０１は、コンテンツデータをデコードし、描画エンジン６０２、表示画像データ生成出力部６０３、画像混合部６０４および表示用信号変換出力部６０９を通じてモニターディスプレイ３０に出力して、画像を再生するようにする。
【００９２】
なお、ＩＯＰ６０１からの録画指示が、ＤＶＤへの記録であったときには、その指示コマンドが共有レジスタ９０４を通じてＤＶＲＰ７０１に送られ、ＭＰＥＧブリッジ部９０６は、放送番組コンテンツの圧縮符号化データを、共有ＤＭＡバッファ９０９を介してゲーム機部６０側に転送するようにする。ＩＯＰ６０１は、この転送されてきた放送番組コンテンツの圧縮符号化データを、ＤＶＤコントローラ６０７を通じてＤＶＤ読み出し／書き込み部６０６に送り、ＤＶＤに記録するようにする。
【００９３】
＜ゲーム機としての動作＞
モニターディスプレイ画面に表示されたグラフィック・ユーザ・インターフェース画面において、リモートコマンダ５０や操作コントローラ４０を介したユーザ入力によりゲームコンテンツの選択操作入力がなされた場合には、ＩＯＰ６０１は、ブートＲＯＭ６０５を起動すると共に、ＤＶＤコントローラ６０７を通じてゲーム・ソフトウエアを取り込む。そして、ＩＯＰ６０１は、当該ゲーム・ソフトウエアに基づいた描画データを描画エンジン６０２で生成するように制御する。
【００９４】
描画エンジン６０２からのゲーム・ソフトウエアに基づいた描画画像データは、表示画像データ生成出力部６０３に供給される。表示画像データ生成出力部６０３は、前記描画画像データを、ディスプレイ３０に表示するための表示画像データに変換する。表示画像データ生成出力部６０３からの表示画像データは、画像混合部６０４を通じてディスプレイ３０に送られる。
【００９５】
また、ユーザにより指定された指示が、ＤＶＤに記録されている映画コンテンツなどの再生である場合には、ＩＯＰ６０１の制御に基づいて、描画エンジン６０２からは圧縮符号化された映画コンテンツデータのデコードデータが得られ、そのデコードデータが表示画像データ生成出力部６０３で映画コンテンツの再生画像データとされ、画像混合部６０４および表示用信号変換出力部６０９を通じてディスプレイ３０に供給される。
【００９６】
＜グラフィック・ユーザ・インターフェースの画面＞
この実施形態では、上述したテレビ放送番組コンテンツの画像や、ＤＶＤの再生画像、また、ハードディスク装置８０から読み出された画像は、そのままでは、画像混合部６０４では画像の混合はなされず、それらの画像のみが表示される。そして、この実施形態では、リモートコマンダ５０のセレクトボタン５４２あるいは操作コントローラ４０のセレクトボタン４６ＳＥが操作されると、ＩＯＰ６０１の制御により、グラフィック・ユーザ・インターフェースの画像が、そのときに表示されている画像に半透明の状態で重畳されるようにされている。
【００９７】
すなわち、テレビ放送番組コンテンツの画像や、ＤＶＤの再生画像、また、ハードディスク装置８０から読み出された画像が表示されているときに、リモートコマンダ５０のセレクトボタン４５２や操作コントローラ４０のセレクトボタン４６ＳＥが押されると、ＩＯＰ６０１は、描画エンジン６０２にグラフィック・ユーザ・インターフェース画面の画像を生成する制御指示を送る。
【００９８】
描画エンジン６０２は、ＩＯＰ６０１からの制御指示に応じてグラフィック・ユーザ・インターフェース画面の描画用データを生成する。この描画エンジン６０２で生成されたグラフィック・ユーザ・インターフェース画面の描画用データは、表示画像データ生成出力部６０３に供給されて、グラフィック・ユーザ・インターフェース画面の画像データが生成される。この表示画像データ生成出力部６０３からのグラフィック・ユーザ・インターフェース画面の画像データは画像混合部６０４に送られ、テレビ放送記録装置部７０からのテレビ放送番組等の画像データに、αブレンディングにより混合され、モニターディスプレイ３０の画面には、テレビ放送番組の画像に半透明の状態で重畳されてグラフィック・ユーザ・インターフェース画面が表示される。
【００９９】
図４は、マルチメディア再生装置２０において、ＩＯＰ６０１の制御により描画エンジン６０２により生成されて、モニターディスプレイ３０の画面３１に表示されるユーザ・インターフェース画面の初期メニュー画面の一例を示す。この例の初期メニュー画面は、前述したように、例えばリモートコマンダ５０のセレクトボタン５４２や操作コントローラ４０のセレクトボタン４６ＳＥを操作するごとに、画面３１に表示されたり、画面３１から消去されたりする。
【０１００】
この例の初期メニュー画面には、水平方向に複数のメディアアイコンおよび設定アイコンが一列に並んだメディアおよび設定アイコン配列２００と、垂直方向に複数のコンテンツアイコンが一列に並んだコンテンツアイコン配列３００や設定項目アイコン配列３１０とが、ほぼ画面中央近傍で交差する交差型２次元配列メニューが表示される。
【０１０１】
メディアおよび設定アイコン配列２００に含まれるメディアアイコンは、この例のマルチメディア記録再生装置１０が再生可能なメディアの種類を示す見出し用小画像であるので、予め定まったものとなる。図４の例では、メディアおよび設定アイコン配列２００に含まれるメディアアイコンとして、写真アイコン２０１、音楽アイコン２０２、動画アイコン２０３、放送アイコン２０４、光ディスクアイコン２０５、ゲームアイコン２０６が表示されている。
【０１０２】
図４には表示されていないが、メディアおよび設定アイコン配列２００には、設定アイコン２０７が含まれる。この設定アイコン２０７は、リモートコマンダ５０の操作ボタン５３５や操作コントローラ４０の十字型方向指示ボタン４５を用いて、例えば左方向に、メディアおよび設定アイコン配列２００を移動させることにより、図５に示すように、モニターディスプレイ画面３１に表示させることができる。
【０１０３】
メディアおよび設定アイコン配列２００において、いずれかのメディアアイコンが選択されているときには、図４に示すように、当該選択中のメディアアイコン（図４において、斜線を付して示す）から上下に延長するコンテンツアイコン配列３００が表示される。
【０１０４】
このコンテンツアイコン配列３００に含まれるコンテンツアイコンは、当該コンテンツアイコン配列３００がメディアアイコン配列２００と交差する位置のメディア（選択中であるメディアである。以下、この選択中メディアを注目メディアという）における複数のコンテンツについての見出し用小画像である。コンテンツアイコンのそれぞれは、前述したように、画像の縮小画像からなるサムネールや、文字、絵柄などからなる。サムネールは、例えばＩＯＰ６０１により予め生成され、ハードディスク装置８０に記憶されており、ＩＯＰ６０１によりハードディスク装置８０から読み出されて用いられる。
【０１０５】
図４の例では、注目メディアは、動画アイコン２０３で示されるメディアである。動画アイコン２０３は、メディアとしてのハードディスク装置８０に対応するものである。したがって、図４の例においては、コンテンツアイコン配列３００に含まれるコンテンツアイコンは、ハードディスク装置８０に記録されているコンテンツのアイコンである。この例では、コンテンツアイコン配列３００には、一画面上では、コンテンツアイコン３０１〜３０７が表示される。
【０１０６】
また、メディアおよび設定アイコン配列２００において、設定アイコン２０７が選択されているとき（図５において、斜線を付して示す）には、図５に示すように、当該選択中の設定アイコン２０７から上下に延長するメディア設定アイコン配列３１０が表示される。メディア設定アイコン配列３１０は、メディアアイコン２０１，２０２，２０３，２０４，２０５，２０６のそれぞれにより選択されるメディアのそれぞれにおける設定を行なうための複数のメディア設定アイコン３１１，３１２，３１３，３１４，３１５，３１６からなる。
【０１０７】
図５に示すように、メディア設定アイコン３１１〜３１６のそれぞれの絵記号は、対応するメディアアイコン２０１〜２０６の絵記号に、工具としてのスパナを表わすマークを左肩に付加したものとして、いずれのメディアの設定用のアイコンであるかを、ユーザが容易に識別できるようにされている。
【０１０８】
以上のように、この実施形態では、メディアの選択と同じ選択階層において、各メディアにおける設定を行なえるように、初期メニューが構成されている。複数のメディアの処理機能を備える複合装置においては、各メディアが選択された後、当該選択されたメディアにおける設定ができるようにされるのが一般的であるが、この実施形態では、メニュー表示を、図４および図５に示すような十字交差型メニュー表示とすると共に、メディア選択のメニュー項目と同列に「設定」を加えることにより、メディアを選択する前に、当該選択しようとするメディアにおける設定を予め行なっておくことができる。
【０１０９】
上述したグラフィック・ユーザ・インターフェース画面は、後述するようにして、画面３１に映出されている映像コンテンツの画像の前面に、半透明の状態で重ね合わされて表示される。
【０１１０】
この例では、メディアおよび設定アイコン配列２００は、垂直方向には移動せず、例えば図４および図５に示すような垂直方向の中央よりも僅かに上方の位置に固定されて表示される。しかし、メディアおよび設定アイコン配列２００内の複数個のメディアアイコン２０１〜２０６および設定アイコン２０７は、その配列全体として、操作コントローラ４０の十字型方向指示ボタン４５やリモートコマンダ５０の操作ボタン５３５を通じたユーザの左右方向の指示に応じて左右方向に移動するようにされる。
【０１１１】
また、コンテンツアイコン配列３００およびメディア設定アイコン３１０は、水平方向には移動せず、例えば図４および図５に示すように、水平方向の中央よりも僅かに左寄りの位置に固定されて表示される。しかし、コンテンツアイコン配列３００およびメディア設定アイコン配列３１０内の複数個のコンテンツアイコン３０１〜３０６やメディア設定アイコン３１１〜３１６は、その配列全体として、操作コントローラ４０の十字型方向指示ボタン４５やリモートコマンダ５０の操作ボタン５３５を通じたユーザの上下方向の指示に応じて上下方向に移動するようにされる。
【０１１２】
以上のように、水平方向に複数個のメディアアイコン２０１〜２０６および設定アイコン２０７が一列に配列されているメディアおよび設定アイコン配列２００の垂直方向の表示位置は固定されると共に、垂直方向に複数個のコンテンツアイコン３０１〜３０６やメディア設定アイコン３１１〜３１６が一列に配列されているコンテンツアイコン配列３００やメディア設定アイコン配列３１０の水平方向の表示位置は固定されるので、メディアおよび設定アイコン配列２００と、コンテンツアイコン配列３００あるいはメディア設定アイコン配列３１０との交差領域２００Ｃは、表示画面３１の中央よりも左斜め上方の位置に固定されるようにされる。
【０１１３】
この実施形態では、ＩＯＰ６０１は、この交差領域２００Ｃに表示されるメディアアイコンあるいは設定アイコン２０７を、選択中のアイコン（注目メディア等アイコン）と認識するようにする。
【０１１４】
この交差領域２００Ｃに位置する注目メディア等アイコンは、この例では、他のメディアアイコンや設定アイコンと異なる色彩で表示されると共に、透明度を低くして、他のアイコンと区別可能となるように、強調表示される。図４の例では、交差領域２００Ｃにおいては、動画アイコン２０３が、図示のように、他のメディアアイコンや設定アイコンとは異なる色彩で表示されると共に、透明度が低くされて、これが選択中であることが示される。なお、選択中のアイコンを拡大表示して、強調するようにしてもよい。
【０１１５】
また、この実施形態では、ＩＯＰ６０１は、交差領域２００Ｃの直下の領域３００Ｃに表示されるコンテンツアイコンやメディア設定アイコンを、選択中のコンテンツアイコン（注目コンテンツアイコン）や選択中のメディア設定アイコン（注目メディア設定アイコン）と認識するようにする。この領域３００Ｃに表示される注目コンテンツアイコンや注目メディア設定アイコンも、他のコンテンツアイコンや他のメディア設定アイコンと区別可能とするために、この例では、他のコンテンツアイコンや他のメディア設定アイコンと異なる態様で表示される共に、透明度を低くされる。選択中のアイコンを拡大表示して、強調するようにしてもよい。
【０１１６】
以上のように、この実施形態では、固定位置である交差領域２００Ｃに表示されるアイコンが、注目メディア等アイコンとされ、交差領域２００Ｃの直下の領域（以下、注目領域という）３００Ｃに表示されるコンテンツアイコンやメディア設定アイコンが、注目コンテンツアイコンあるいは注目メディア設定アイコンとされる。ユーザは、メディアアイコン配列２００を水平方向にスクロールさせて、交差領域２００Ｃに希望メディアに対応するメディアアイコンあるいは設定アイコンを表示させるようにすると共に、コンテンツアイコン配列３００やメディア設定アイコン配列を垂直方向にスクロールさせて、固定領域３００Ｃに、希望コンテンツに対応するコンテンツアイコンや設定をしたいメディアのメディア設定アイコンを表示させるようにして、希望するメディアの希望するコンテンツや希望するメディアの設定の選択操作を行なう。
【０１１７】
このとき、いずれかのメディアアイコンが交差領域２００Ｃで位置確定したときに、そのメディアアイコンの色彩とサイズおよび透明度が変化されて強調表示される。このように、交差領域２００Ｃに位置するメディアアイコンをその他のメディアアイコンと異なる表示態様で表示するため、ユーザは容易にメディアを選択できる。
【０１１８】
そして、いずれかのメディアアイコンが交差領域２００Ｃで位置確定したときに、コンテンツアイコン配列３００が交差領域２００Ｃから上下方向に繰り出すように展開表示される。
【０１１９】
次に、ユーザは、操作コントローラ４０の十字型方向指示ボタン４５やリモートコマンダ５０の操作ボタン５３５を介した上下方向の指示により、コンテンツアイコンの配列全体を上下方向に移動させる。すると、ＩＯＰ６０１の制御により、交差領域２００Ｃの直下の注目領域３００Ｃに位置したコンテンツアイコンの色彩、アイコンサイズおよび透明度が変化する。なお、注目コンテンツアイコンの近傍位置、図４の例では、注目コンテンツアイコンの右方に、注目コンテンツアイコンに対応するコンテンツに関する属性として、例えば、図４の例では、映像タイトルと録画日が、ＩＯＰ６０１の制御により表示される。
【０１２０】
また、ＩＯＰ６０１の制御により、設定アイコン２０７が交差領域２００Ｃで位置確定したときに、その設定アイコン２０７の色彩とサイズおよび透明度が変化されて強調表示される。このように、交差領域２００Ｃに位置する設定アイコンをその他のメディアアイコンと異なる表示態様で表示するため、ユーザは容易に「設定」を選択できる。
【０１２１】
そして、設定アイコン２０７が交差領域２００Ｃで位置確定したときに、ＩＯＰ６０１の制御により、図５に示すように、メディア設定アイコン配列３１０が交差領域２００Ｃから上下方向に繰り出すように展開表示される。
【０１２２】
次に、ユーザは、リモートコマンダ５０の操作ボタン５３５や、操作コントローラ４０の十字型方向指示ボタン４５を介した上下方向の指示により、メディア設定アイコンの配列全体を上下方向に移動させる。すると、ＩＯＰ６０１の制御により、交差領域２００Ｃの直下の注目領域３００Ｃに位置したメディア設定アイコンの色彩、アイコンサイズおよび透明度が変化する。なお、注目メディア設定イコンの近傍位置、図５の例では、注目メディア設定アイコンの右方に、注目メディア設定アイコンに対応するメディアの設定の名称、例えば、図５の例では、「ビデオ設定」がＩＯＰ６０１の制御により表示される。
【０１２３】
［リモコン制御機能の切り替え設定について］
図６は、操作コントローラ４０のＬ２操作ボタン４８ＬおよびＲ２操作ボタン４８Ｒと、リモートコマンダ５０のＬ２操作ボタン５４５およびＲ２操作ボタン５４６とに、割り付けられるリモコン制御機能を切り替え設定する際の処理のフローチャートである。この処理は、リモコン信号受信処理部６０８およびＩＯＰ６０１とにより実行される。
【０１２４】
このときの操作手段としては、操作コントローラ４０と、リモートコマンダ５０のいずれであっても良いが、図６は、一例としてリモートコマンダ５０が操作手段として用いられた場合である。リモコン信号受信処理部６０８は、前述したように、その内蔵メモリのリモコン変換対応テーブルを参照して、リモートコマンダ５０から受信した赤外線リモコン信号が、いずれの操作ボタンの操作によるものであるか判断し、その判断結果に基づいて、制御信号を生成するようにする。
【０１２５】
まず、リモコン信号受信処理部６０８は、リモートコマンダ５０のセレクトボタン５４２が押下操作されたか否かを判別する（ステップＳ１）。セレクトボタン５４２は押下操作されていないと判別したときには、その他の処理に移る（ステップＳ２）。
【０１２６】
ステップＳ１で、セレクトボタン５４２が押下操作されたと判別すると、リモコン信号受信処理部６０８は、交差型二次元配列メニューを表示するように要求する制御指示信号をバス６００を通じてＩＯＰ６０１に送る。ＩＯＰ６０１は、この制御指示信号を受けると、図４に示したような交差型二次元配列メニューを、モニターディスプレイ３０の画面３１に表示するための制御処理を行なう（ステップＳ３）。
【０１２７】
次に、リモコン信号受信処理部６０８は、操作ボタン５３５によるメディアおよび設定アイコン配列２００のいずれかのアイコンを選択するための左右方向操作信号を受け取ると、それをＩＯＰ６０１に送る。ＩＯＰ６０１は、その左右方向操作信号を受け取って、設定アイコン２０７が選択されたか否か判別する（ステップＳ４）。
【０１２８】
設定アイコン２０７以外のメディアアイコンが選択されたと判別したときには、ＩＯＰ６０１は、その選択されたメディアアイコンに対応するメディアに応じた処理をするためのルーチンに移行する（ステップＳ５）。
【０１２９】
ステップＳ４で、設定アイコン２０７が選択されたと判別したときには、ＩＯＰ６０１は、モニターディスプレイ３０の画面３１には、図５に示したように、設定アイコン２０７からメディア設定アイコン配列３１０を上下に延長して表示するようにする（ステップＳ６）。
【０１３０】
このとき、前述したように、設定アイコン２０７の直下に位置する領域３００Ｃ内に表示されるメディア設定アイコンが、注目メディア設定アイコンである。図５では、当該注目メディア設定アイコンは、太枠で囲って示している。そして、注目メディア設定アイコンの右横には、当該注目メディア設定アイコンに対応する設定メディアが文字表示される。図５の例では、動画メディアの設定が選択されていることを示す「ビデオ設定」の文字が表示されている。
【０１３１】
次に、リモコン信号受信処理部６０８は、操作ボタン５３５によるメディア設定アイコン配列３１０のいずれかのアイコンを選択するための上下方向操作信号を受け取ると、それをＩＯＰ６０１に送る。ＩＯＰ６０１は、その上下方向操作信号を受け取って、「ビデオ設定」が選択されたか否か判別する（ステップＳ７）。
【０１３２】
ステップＳ７で、「ビデオ設定」が選択されてはいないと判別したときには、ＩＯＰ６０１は、「ビデオ設定」以外の、選択されたその他の設定のための処理ルーチンに移行する（ステップＳ８）。
【０１３３】
ステップＳ７で、「ビデオ設定」が選択されたと判別したときには、ＩＯＰ６０１は、モニターディスプレイ３０の画面３１の表示を、図５の状態から図７に示すような、ビデオ設定の設定項目の画面表示に変更する（ステップＳ９）。このビデオ設定の設定項目の画面においては、ＩＯＰ６０１の制御により、メディア設定アイコン配列３１０に並行に、縦方向に、複数個の設定項目が順次に表示されると共に、ビデオ設定アイコン３１２の右横に、それらの設定項目がこのビデオ設定アイコン３１２に関連する設定項目であることを示す連結マーク３２０が表示される。
【０１３４】
そして、図７に示すように、各設定項目には、設定項目であることを示す工具としてのスパナを表わすマーク３２１がそれぞれ表示され、そのマーク３２１の右側に、それぞれの設定項目を説明する文字列３２２が表示されている。さらに、設定項目を説明する文字列のさらに右側には、それぞれの設定項目において、現在、選択されている状態、モード、制御機能などを示す文字列３２３が表示されている。
【０１３５】
この「ビデオ設定」の設定項目の一つとして、「Ｌ２・Ｒ２ボタン設定」が設けられている。なお、図７の例では、「Ｌ２・Ｒ２ボタン設定」においては、文字列３２３には「サーチ」が記述され、現在は、リモートコマンダ５０のＬ２操作ボタン５４５，Ｒ２操作ボタン５４６、また、操作コントローラ４０のＬ２操作ボタン５８Ｌ，Ｒ２操作ボタン５８Ｒは、サーチ制御機能が割り当てられていることを示している。
【０１３６】
次に、リモコン信号受信処理部６０８は、操作ボタン５３５による設定項目のいずれかを選択するための上下方向操作信号を受け取ると、それをＩＯＰ６０１に送る。ＩＯＰ６０１は、その上下方向操作信号を受け取って、設定項目として「Ｌ２・Ｒ２ボタン設定」が選択決定されたか否か判別する（ステップＳ１０）。図７において、四角の枠線３２４は、現在選択されている設定項目が何であるかを示すためのものである。この四角の枠線３２４で囲まれた設定項目の位置で、決定キーの操作がなされると、当該選択中の設定項目が選択決定されたことを意味する。
【０１３７】
ステップＳ１０で、「Ｌ２・Ｒ２ボタン設定」が選択決定されてはいないと判別したときには、ＩＯＰ６０１は、「Ｌ２・Ｒ２ボタン設定」以外の、選択決定された設定項目のための処理ルーチンに移行する（ステップＳ１１）。
【０１３８】
ステップＳ１０で、「Ｌ２・Ｒ２ボタン設定」が選択決定されたと判別したときには、ＩＯＰ６０１は、モニターディスプレイ３０の画面３１上のグラフィック・ユーザ・インターフェース画面を、図７の画面表示状態から図８に示すような、設定項目「Ｌ２・Ｒ２ボタン設定」についての選択設定画面表示に変更する（ステップＳ１２）。
【０１３９】
すなわち、この設定項目「Ｌ２・Ｒ２ボタン設定」についての選択設定画面表示においては、図８に示すように、選択決定された設定項目「Ｌ２・Ｒ２ボタン設定」の文字列３２２およびマーク３２１が、水平方向に右側に移動すると共に、他の設定項目のマーク３２１および文字列３２２は、その表示濃度が薄くされて、設定項目の選択および非選択の区別がユーザに明示される。
【０１４０】
そして、この図８の設定項目「Ｌ２・Ｒ２ボタン設定」の文字列３２２の右横に、選択設定可能な制御機能項目の表示文字列３２５として、「サーチ」と「フラッシュ」とが表示される。このとき、現在選択中の制御機能項目（現在割り付けられている制御機能項目）が、例えば反転表示されてユーザに報知される。これと同時に、画面３１の上側３３１には、当該画面表示がビデオ設定における「Ｌ２・Ｒ２ボタン設定」の設定画面表示であることが示されると共に、画面３１の下側３３２には、選択設定可能な制御機能項目の決定ボタンと、前の画面に戻るボタンとが、リモートコマンダ５０や操作コントローラ４０のどの操作ボタンに対応するかを示すマーク表示がなされる。
【０１４１】
ユーザは、リモートコマンダ５０の操作ボタン５３５による上下方向の操作により、「サーチ」と「フラッシュ」との２つの制御機能項目のいずれか一方を選択し、また、選択した制御機能項目をＬ２・Ｒ２ボタン４８Ｌ，４８Ｒおよび５４５，５４６に割り付け決定するときには、決定ボタンとしての操作ボタン５３２を押下操作する。
【０１４２】
リモコン信号受信処理部６０８は、操作ボタン５３５による制御機能項目のいずれかを選択するための上下方向操作信号を受け取ると、それをＩＯＰ６０１に送る。ＩＯＰ６０１は、上下方向操作信号を受け取ったかどうかにより、制御機能項目の選択入力がなされたか否かを判別し（ステップＳ１３）、制御機能項目の選択入力がなされたと判別したときには、選択されている方の制御機能項目を反転表示して、それが選択状態であることを示す（ステップＳ１４）。
【０１４３】
ステップＳ１３において、制御機能項目の選択入力がなされていないと判別したときには、ＩＯＰ６０１は、この例では、リモートコマンダ信号受信処理部６０８から決定ボタンの操作を示す信号を受信したか否かにより、決定ボタンが操作されたか否かを判別し（ステップＳ１５）、決定ボタンが操作されていないと判別したときには、ステップＳ１３に戻る。
【０１４４】
そして、ステップＳ１５において、決定ボタンが操作されたと判別したときには、ＩＯＰ６０１は、「サーチ」と「フラッシュ」との２つの制御機能項目のうち、いずれが選択設定されたかを示す制御機能設定情報を、リモコン信号受信処理部６０８に送る。リモコン信号受信処理部６０８では、この制御機能設定情報を受信し、リモコン変換対応テーブルの、Ｌ２・Ｒ２ボタン５４５，５４６の制御機能として、選択設定された機能を割り当てるように、記録再生装置モード用のリモコン変換対応テーブルの内容を更新する（ステップＳ１６）。このステップＳ１６では、ＩＯＰ６０１は、内蔵する操作コントローラ４０についての変換対応テーブルの内容も同様にして記録再生装置モード用の変換対応テーブルの、Ｌ２・Ｒ２ボタン４８Ｌ，４８Ｒの制御機能として、選択設定された機能を割り当てるように更新する。
【０１４５】
そして、ＩＯＰ６０１は、画面３１に表示されていたメニューを消去し、メニュー表示前の元の画面表示の状態に戻す（ステップＳ１７）。以上で、この処理ルーチンは、終了である。
【０１４６】
［リモコン信号の受信処理］
以上のようにして、設定により、リモコン信号受信処理部６０８に内蔵のメモリのリモコン変換対応テーブルの内容が更新されることにより、リモートコマンダ５０のＬ２操作ボタン５４５およびＲ２操作ボタン５４６に割り付けられる制御機能が変更される。すなわち、リモコン信号受信処理部６０８は、リモートコマンダ５０からの赤外線リモコン信号を受信すると、リモコン変換対応テーブルを参照して、リモコン信号に対応する制御を識別するようにするので、リモコン変換対応テーブルの内容を更新することにより、操作ボタンに割り当てられる制御機能を変更することができる。
【０１４７】
図９は、リモコン信号受信処理部６０８での、リモートコマンダ５０からの赤外線リモコン信号を受信したときの動作のフローチャートである。
【０１４８】
すなわち、リモコン信号受信処理部６０８は、リモートコマンダ５０からの赤外線リモコン信号を受信すると、図９の処理ルーチンをスタートさせ、操作された操作ボタンがどれであるかを判別する（ステップＳ２１）。次に、マルチメディア記録再生装置１０が実行中のメディア等（放送受信、ＤＶＤ再生、ハードディスク再生、メニュー表示など）に対応するリモコン変換対応テーブルを参照し、操作された操作ボタンに対応する制御機能を判別する（ステップＳ２２）。
【０１４９】
そして、リモコン信号受信処理部６０８は、その判別した制御機能に対応する制御信号を生成し、バス６００に送出する（ステップＳ２３）。以上でリモコン信号受信処理を終了する。
【０１５０】
したがって、リモートコマンダ５０のＬ２操作ボタン５４５およびＲ２操作ボタン５４６に、再生モード時用の制御機能として「サーチ」が割り当てられているときには、マルチメディア記録再生装置１０が再生モードであるときにおいて、当該Ｌ２操作ボタン５４５あるいはＲ２操作ボタン５４６がユーザにより操作されると、リモコン信号受信処理部６０８は、巻戻しサーチあるいは早送りサーチの制御信号をバス６００に出力する。
【０１５１】
これに基づき、ハードディスク装置８０のコンテンツの再生時においては、ハードディスクコントロール部９０３が、サーチの制御信号に応じた制御を行ない、また、ＤＶＤの再生時においては、ＤＶＤコントローラ６０７が、サーチの制御信号に応じた制御を行なう。
【０１５２】
このとき、図１０（Ａ）および（Ｂ）に示すように、当該Ｌ２操作ボタン５４５あるいはＲ２操作ボタン５４６の操作が、巻戻しサーチあるいは早送りサーチであることを示すマーク３４１あるいはマーク３４２が、画面３１に表示される。
【０１５３】
なお、この例では、Ｌ２操作ボタン５４５あるいはＲ２操作ボタン５４６を一回操作すると２倍速、２回操作すると１０倍速、３回操作すると３０倍速、・・というように制御可能であり、その倍速数字が、マーク３４１，３４２の右横において画面に表示されるようにされている。図１０において、マーク３４１、３４２の右横に表示される「×２」は、２倍速サーチであることを意味している。
【０１５４】
次に、リモートコマンダ５０のＬ２操作ボタン５４５およびＲ２操作ボタン５４６に、再生モード時用の制御機能として「フラッシュ」が割り当てられているときには、マルチメディア記録再生装置１０が再生モードであるときにおいて、当該Ｌ２操作ボタン５４５あるいはＲ２操作ボタン５４６がユーザにより操作されると、リモコン信号受信処理部６０８は、前述したように、当該Ｌ２操作ボタン５４５あるいはＲ２操作ボタン５４６が操作された回数ｎに応じて、（１３＋１５（ｎ−１））秒前あるいは後の再生位置にジャンプするようにするフラッシュの制御信号を出力する。
【０１５５】
これに基づき、ハードディスク装置８０のコンテンツの再生時においては、ハードディスクコントロール部９０３が、フラッシュの制御信号に応じた制御を行ない、また、ＤＶＤの再生時においては、ＤＶＤコントローラ６０７が、フラッシュの制御信号に応じた制御を行なう。
【０１５６】
このとき、図１１（Ａ）および（Ｂ）に示すように、当該Ｌ２操作ボタン５４５あるいはＲ２操作ボタン５４６の操作が、巻戻し方向のフラッシュあるいは早送り方向のフラッシュであることを示すマーク３４３あるいはマーク３４４が、画面３１に表示される。
【０１５７】
なお、図１１には、示さなかったが、そのジャンプされる秒数の数字を、マーク３４３，３４４の右横において画面に表示するようにしてもよい。
【０１５８】
このように、リモートコマンダ５０のＬ２操作ボタン５４５およびＲ２操作ボタン５４６に、再生モード時用の制御機能として「フラッシュ」が割り当てられているときであっても、この実施形態においては、前述したように、リモートコマンダ５０の操作ボタン５３５には、サーチの制御機能が割り付けられているので、サーチの制御機能が使用できなくなることはない。
【０１５９】
以上は、Ｌ２，Ｒ２操作ボタンに割り付けられる制御機能の設定変更の入力が、リモートコマンダ５０からなされる場合についての説明であるが、操作コントローラ４０が用いられて、Ｌ２，Ｒ２操作ボタンに割り付けられる制御機能の設定変更の入力が行われる場合についてもほぼ同様である。
【０１６０】
ただし、操作コントローラ４０を用いて前述したようなメニュー表示を介して操作ボタンの制御機能の設定変更を行なう場合には、この実施形態の場合には、ＩＯＰ６０１からリモコン信号受信処理部６０８に、Ｌ２操作ボタン５４５およびＲ２操作ボタン５４６の設定機能の情報を送り、リモコン信号受信処理部６０８に、記録再生装置モード用のリモコン変換対応テーブルを更新させるようにする。この場合、ＩＯＰ６０１は、記録再生装置モード用の変換対応テーブルを、操作コントローラ４０のＬ２操作ボタン４８ＬおよびＲ２操作ボタン４８Ｒの設定機能を更新することにより更新する
なお、リモートコマンダ５０あるいは操作コントローラ４０のいずれか一方を用いて、Ｌ２操作ボタンおよびＲ２操作ボタンについての制御機能の設定を行なうだけで、リモートコマンダ５０および操作コントローラ４０の両方のＬ２操作ボタンおよびＲ２操作ボタンについての制御機能の設定がなされたことになるものである。
【０１６１】
なお、上述の実施形態では、リモコン信号受信処理部６０８には、リモコン変換対応テーブルとして、ゲーム機モード用と、記録再生装置モード用とを設けて、現在モードに応じて切り替えるようにしたが、リモコン信号受信処理部６０８は、その操作ボタンが押されたかを判別して、その判別結果の操作ボタン情報（どの操作ボタンであるかの識別情報）をＩＯＰ６０１に送るようにし、ＩＯＰ６０１が、受信した操作ボタン情報に応じた制御信号を、現在モードに応じて、発生するようにしてもよい。
【０１６２】
この場合には、リモコン変換対応テーブルは、リモコン信号受信処理部６０８に設ける必要はなく、ＩＯＰ６０１が備えていれば良く、割り付けられる制御機能の変更も、ＩＯＰ６０１のみが行なえばよい。
【０１６３】
また、この発明の複合装置は、上述のようなマルチメディア記録再生装置に限られるものではないことは言うまでもなく、複合機能もゲーム機の機能と、記録再生装置の機能とに限定されるものではない。
【図面の簡単な説明】
【０１６４】
【図１】この発明による複合装置の実施形態を構成するリモートコマンダの一例を示す図である。
【図２】この発明の実施形態を含むマルチメディア記録再生システムの構成例を示す図である。
【図３】この発明の実施形態の複合装置の一例としてのマルチメディア記録再生装置の構成例を示すブロック図である。
【図４】この発明の実施形態の複合装置における表示画面の一例を示す図である。
【図５】この発明の実施形態の複合装置における表示画面の一例を示す図である。
【図６】この発明の実施形態の要部の動作を説明するためのフローチャートを示す図である。
【図７】この発明の実施形態の複合装置における表示画面の一例を示す図である。
【図８】この発明の実施形態の複合装置における表示画面の一例を示す図である。
【図９】この発明の実施形態を説明するためのフローチャートを示す図である。
【図１０】この発明の実施形態の複合装置における表示画面の一例を示す図である。
【図１１】この発明の実施形態の複合装置における表示画面の一例を示す図である。
【符号の説明】
【０１６５】
１０…マルチメディア記録再生装置、３０…モニターディスプレイ、４０…操作コントローラ、５０…リモートコマンダ、６０…ゲーム機部、７０…テレビ放送記録装置部、６０１…ＩＯＰ（プロセッサ）、６０３…表示画像データ生成出力部、６０４…画像混合部、６０８…リモコン信号受信処理部、６０９…表示用信号変換出力部
【図１】
2005223566.tif 000003
【図２】
2005223566.tif 000004
【図３】
2005223566.tif 000005
【図４】
2005223566.tif 000006
【図５】
2005223566.tif 000007
【図６】
2005223566.tif 000008
【図７】
2005223566.tif 000009
【図８】
2005223566.tif 000010
【図９】
2005223566.tif 000011
【図１０】
2005223566.tif 000012
【図１１】
2005223566.tif 000013